(57)【要約】【課題】通信装置の利用時におけるユーザの利便性の向上を図ること。【解決手段】本発明の通信システムは、携帯型通信端末１００が、所定の位置を指定する指定位置情報と、位置に応じて使用する通信装置を特定する使用装置情報と、を予め関連付けて記憶した使用装置情報記憶手段１０１と、自端末の位置を表す位置情報を取得する位置情報取得手段１０２と、取得した位置情報に対応する指定位置情報に関連付けられた使用装置情報を、接続制御装置に対して送信する使用装置情報送信手段１０３と、を備え、接続制御装置２００が、携帯型通信端末から送信された使用装置情報に対応する通信装置を、当該使用装置情報を送信してきた携帯型通信端末を操作するユーザが使用する通信装置として、当該通信装置の接続制御を行う接続制御手段２０１を備える。【選択図】図１６
2013207486.tif 000002
【特許請求の範囲】
【請求項１】
所定の通信装置間の接続制御を行う接続制御装置と、
前記接続制御装置と通信可能な携帯型通信端末と、を備え、
前記携帯型通信端末は、
所定の位置を指定する指定位置情報と、位置に応じて使用する通信装置を特定する使用装置情報と、を予め関連付けて記憶した使用装置情報記憶手段と、
自端末の位置を表す位置情報を取得する位置情報取得手段と、
前記位置情報取得手段にて取得した前記位置情報に対応する前記指定位置情報に関連付けられた前記使用装置情報を、前記接続制御装置に対して送信する使用装置情報送信手段と、を備え、
前記接続制御装置は、
前記携帯型通信端末から送信された前記使用装置情報に対応する通信装置を、当該使用装置情報を送信してきた前記携帯型通信端末を操作するユーザが使用する通信装置として、当該通信装置の接続制御を行う接続制御手段を備えた、
通信システム。
【請求項２】
請求項１に記載の通信システムであって、
前記携帯型通信端末が有する前記使用装置情報送信手段は、発信に使用する通信装置を特定する発信装置情報を含む前記使用装置情報を、前記接続制御装置に対して送信し、
前記接続制御装置が有する前記接続制御手段は、前記使用装置情報を送信してきた前記携帯型通信端末を操作するユーザからの発信要求に応じて、前記使用装置情報に含まれる前記発信装置情報に対応する通信装置を発信側通信装置として接続制御を行う、
通信システム。
【請求項３】
請求項２に記載の通信システムであって、
前記携帯型通信端末は、発信先ユーザに対する発信要求を表す発信要求情報を、前記接続制御装置に対して送信する発信要求手段を備え、
前記接続制御装置が有する前記接続制御手段は、前記携帯型通信端末から送信された前記発信要求情報に応じて、当該発信要求情報を送信してきた前記携帯型通信端末からの前記使用装置情報に含まれる前記発信装置情報に対応する通信装置を発信側通信装置として、当該発信側通信装置から前記発信先ユーザに対して発信するよう接続制御を行う、
通信システム。
【請求項４】
請求項３に記載の通信システムであって、
前記携帯型通信端末は、発信先ユーザを特定する発信先ユーザ特定情報を記憶した発信先ユーザ情報記憶手段を備えると共に、
前記携帯型通信端末が有する前記発信要求手段は、前記発信先ユーザ情報記憶手段に記憶された前記発信先ユーザ特定情報を前記発信要求情報に含めて前記接続制御装置に送信し、
前記接続制御装置が有する前記接続制御手段は、前記携帯型通信端末から送信された前記発信要求情報に含まれる前記発信先ユーザ特定情報にて特定される前記発信先ユーザに対して発信するよう接続制御を行う、
通信システム。
【請求項５】
請求項１乃至４のいずれかに記載の通信システムであって、
前記携帯型通信端末が有する前記使用装置情報送信手段は、着信に使用する通信装置を特定する着信装置情報を含む前記使用装置情報を、前記接続制御装置に対して送信し、
前記接続制御装置が有する前記接続制御手段は、前記使用装置情報を送信してきた前記携帯型通信端末を操作するユーザへの発信要求に応じて、前記使用装置情報に含まれる前記着信装置情報に対応する通信装置を着信側通信装置として接続制御を行う、
通信システム。
【請求項６】
請求項１乃至５のいずれかに記載の通信システムであって、
前記携帯型通信端末が有する前記使用装置情報送信手段は、前記位置情報取得手段にて取得した前記位置情報に変化が生じたときに、当該位置情報に対応する前記指定位置情報に関連付けられた前記使用装置情報を、前記接続制御装置に対して送信し、
前記接続制御装置が有する接続制御手段は、前記携帯型通信端末から送信された前記使用装置情報のうち最新の当該使用装置情報に対応する通信端末を、当該使用装置情報を送信してきた前記携帯型通信端末を操作するユーザが使用する通信装置として、当該通信装置の接続制御を行う、
通信システム。
【請求項７】
請求項１乃至６のいずれかに記載の通信システムであって、
前記携帯型通信端末が有する前記使用装置情報記憶手段は、位置の指定がない前記指定位置情報と、前記使用装置情報と、が予め関連付けられた情報を記憶しており、
前記携帯型通信端末が有する前記使用装置情報送信手段は、前記位置情報取得手段にて取得した前記位置情報に対応する前記指定位置情報が前記使用装置情報記憶手段内に無い場合に、位置の指定が無い前記指定位置情報に関連付けられた前記使用装置情報を、前記接続制御装置に対して送信する、
通信システム。
【請求項８】
請求項１乃至７のいずれかに記載の通信システムであって、
前記携帯型通信端末が有する前記使用装置情報記憶手段は、前記指定位置情報に、着信時の転送先となる通信装置を特定する転送先情報を予め関連付けて記憶しており、
前記携帯型通信端末が有する前記使用装置情報送信手段は、前記位置情報取得手段にて取得した前記位置情報に対応する前記指定位置情報に関連付けられた前記転送先情報を、前記接続制御装置に対して送信し、
前記接続制御装置が有する前記接続制御手段は、前記転送先情報を送信してきた前記携帯型通信端末を操作するユーザへの発信要求に応じて、当該発信要求にかかる着信を前記転送先情報にて特定される通信装置に転送するよう接続制御を行う、
通信システム。
【請求項９】
請求項１乃至８のいずれかに記載の通信システムであって、
前記携帯型通信端末が有する前記使用装置情報記憶手段は、前記指定位置情報に、ユーザの状況を表すユーザ状況情報を予め関連付けて記憶しており、
前記携帯型通信端末が有する前記使用装置情報送信手段は、前記位置情報取得手段にて取得した前記位置情報に対応する前記指定位置情報に関連付けられた前記ユーザ状況情報を前記接続制御装置に対して送信し、
前記接続制御装置が有する前記接続制御手段は、前記ユーザ状況情報を、当該ユーザ状況情報を送信してきた前記携帯型通信端末を操作するユーザの状況を表す情報として、予め設定されたプレゼンスデータに登録する、
通信システム。
【請求項１０】
所定の通信装置間の接続制御を行う接続制御装置と通信可能な携帯型通信端末であって、
所定の位置を指定する指定位置情報と、位置に応じて使用する通信装置を特定する使用装置情報と、を予め関連付けて記憶した使用装置情報記憶手段と、
自端末の位置を表す位置情報を取得する位置情報取得手段と、
前記位置情報取得手段にて取得した前記位置情報に対応する前記指定位置情報に関連付けられた前記使用装置情報を、前記接続制御装置に対して送信する使用装置情報送信手段と、を備え、
前記使用装置情報送信手段は、前記使用装置情報に対応する通信装置が、自端末を操作するユーザが使用する通信装置として前記接続制御装置にて接続制御されるよう、前記使用装置情報を前記接続制御装置に対して送信する、
携帯型通信端末。
【請求項１１】
請求項１０に記載の携帯型通信端末であって、
前記使用装置情報送信手段は、発信に使用する通信装置を特定する発信装置情報を含む前記使用装置情報を、自端末を操作するユーザからの発信要求に応じて前記使用装置情報に含まれる前記発信装置情報に対応する通信装置が発信側通信装置として前記接続制御装置にて接続制御されるよう、当該接続制御装置に対して送信する、
携帯型通信端末。
【請求項１２】
所定の通信装置間の接続制御を行う接続制御装置と通信可能であり、所定の位置を指定する指定位置情報と、位置に応じて使用する通信装置を特定する使用装置情報と、を予め関連付けて記憶した使用装置情報記憶手段を備えた携帯型通信端末に、
自端末の位置を表す位置情報を取得する位置情報取得手段と、
前記位置情報取得手段にて取得した前記位置情報に対応する前記指定位置情報に関連付けられた前記使用装置情報を、前記接続制御装置に対して送信する使用装置情報送信手段と、を実現させると共に、
前記使用装置情報送信手段は、前記使用装置情報に対応する通信装置が、自端末を操作するユーザが使用する通信装置として前記接続制御装置にて接続制御されるよう、前記使用装置情報を前記接続制御装置に対して送信する、
ことを実現させるためのプログラム。
【請求項１３】
請求項１２に記載のプログラムであって、
前記使用装置情報送信手段は、発信に使用する通信装置を特定する発信装置情報を含む前記使用装置情報を、自端末を操作するユーザからの発信要求に応じて前記使用装置情報に含まれる前記発信装置情報に対応する通信装置が発信側通信装置として前記接続制御装置にて接続制御されるよう、当該接続制御装置に対して送信する、
プログラム。
【請求項１４】
所定の通信装置間の接続制御を行う接続制御装置であって、
通信可能な携帯型通信端末にて取得された当該携帯型通信端末の位置情報に対応して予め当該携帯型通信端末に記憶された、位置に応じて使用する通信装置を特定する使用位置情報を、前記携帯型通信端末から受信して、この受信した使用装置情報に対応する通信装置を、当該使用装置情報を送信してきた前記携帯型通信端末を操作するユーザが使用する通信装置として、当該通信装置の接続制御を行う接続制御手段を備えた、
接続制御装置。
【請求項１５】
請求項１４に記載の接続制御装置であって、
前記接続制御手段は、前記使用装置情報を送信してきた前記携帯型通信端末を操作するユーザからの発信要求に応じて、前記使用装置情報に含まれる発信に使用する通信装置を特定する発信装置情報に対応する通信装置を、発信側通信装置として接続制御を行う、
接続制御装置。
【請求項１６】
所定の通信装置間の接続制御を行う接続制御装置に、
通信可能な携帯型通信端末にて取得された当該携帯型通信端末の位置情報に対応して予め当該携帯型通信端末に記憶された、位置に応じて使用する通信装置を特定する使用位置情報を、前記携帯型通信端末から受信して、この受信した使用装置情報に対応する通信装置を、当該使用装置情報を送信してきた前記携帯型通信端末を操作するユーザが使用する通信装置として、当該通信装置の接続制御を行う接続制御手段、
を実現させるためのプログラム。
【請求項１７】
請求項１６に記載のプログラムであって、
前記接続制御手段は、前記使用装置情報を送信してきた前記携帯型通信端末を操作するユーザからの発信要求に応じて、前記使用装置情報に含まれる発信に使用する通信装置を特定する発信装置情報に対応する通信装置を、発信側通信装置として接続制御を行う、
プログラム。
【請求項１８】
所定の通信装置間の接続制御を行う接続制御装置と、前記接続制御装置と通信可能な携帯型通信端末と、を備えた通信システムによる通信制御方法であって、
前記携帯型通信端末が、
自端末の位置を表す位置情報を取得し、
予め関連付けられて記憶された、所定の位置を指定する指定位置情報と、位置に応じて使用する通信装置を特定する使用装置情報と、に基づいて、取得した前記位置情報に対応する前記指定位置情報に関連付けられた前記使用装置情報を、前記接続制御装置に対して送信し、
前記接続制御装置が、
前記携帯型通信端末から送信された前記使用装置情報に対応する通信装置を、当該使用装置情報を送信してきた前記携帯型通信端末を操作するユーザが使用する通信装置として、当該通信装置の接続制御を行う、
通信制御方法。
【請求項１９】
請求項１８に記載の通信制御方法であって、
前記携帯型通信端末が、発信に使用する通信装置を特定する発信装置情報を含む前記使用装置情報を、前記接続制御装置に対して送信し、
前記接続制御装置が、前記使用装置情報を送信してきた前記携帯型通信端末を操作するユーザからの発信要求に応じて、前記使用装置情報に含まれる前記発信装置情報に対応する通信装置を発信側通信装置として接続制御を行う、
通信制御方法。
【請求項２０】
所定の通信装置間の接続制御を行う接続制御装置と通信可能な携帯型通信端末による通信制御方法であって、
自端末の位置を表す位置情報を取得し、
予め関連付けられて記憶された、所定の位置を指定する指定位置情報と、位置に応じて使用する通信装置を特定する使用装置情報と、に基づいて、取得した前記位置情報に対応する前記指定位置情報に関連付けられた前記使用装置情報を、前記接続制御装置に対して送信すると共に、前記使用装置情報に対応する通信装置が、自端末を操作するユーザが使用する通信装置として前記接続制御装置にて接続制御されるよう、前記使用装置情報を前記接続制御装置に対して送信する、
通信制御方法。
【請求項２１】
請求項２０に記載の通信制御方法であって、
発信に使用する通信装置を特定する発信装置情報を含む前記使用装置情報を、自端末を操作するユーザからの発信要求に応じて前記使用装置情報に含まれる前記発信装置情報に対応する通信装置が発信側通信装置として前記接続制御装置にて接続制御されるよう、当該接続制御装置に対して送信する、
通信制御方法。
【請求項２２】
所定の通信装置間の接続制御を行う接続制御装置による通信制御方法であって、
通信可能な携帯型通信端末にて取得された当該携帯型通信端末の位置情報に対応して予め当該携帯型通信端末に記憶された、位置に応じて使用する通信装置を特定する使用位置情報を、前記携帯型通信端末から受信して、この受信した使用装置情報に対応する通信装置を、当該使用装置情報を送信してきた前記携帯型通信端末を操作するユーザが使用する通信装置として、当該通信装置の接続制御を行う、
通信制御方法。
【請求項２３】
請求項２２に記載の通信制御方法であって、
前記使用装置情報を送信してきた前記携帯型通信端末を操作するユーザからの発信要求に応じて、前記使用装置情報に含まれる発信に使用する通信装置を特定する発信装置情報に対応する通信装置を、発信側通信装置として接続制御を行う、
通信制御方法。
【発明の詳細な説明】
【技術分野】
【０００１】
本発明は、通信システムにかかり、特に、所定の通信端末間の接続制御を行う接続制御装置と、当該接続制御装置と通信可能な携帯型通信端末と、を備えた通信システムに関する。
【背景技術】
【０００２】
近年、通信技術に発達により、企業が複数の拠点を有し、従業員であるユーザが各拠点に移動して、ネットワークに接続された情報処理装置を利用して業務を行うことが可能となっている。例えば、ユーザが移動する各拠点には、まず、ユーザが使用可能な内線電話端末（ハードフォン端末、無線端末などを含む）が設置されていたり、ソフトフォン内線電話がインストールされたパソコンなどの情報処理端末が設置されている。また、ユーザは、それぞれ携帯電話機などの携帯型情報処理端末を所有し、当該携帯型情報処理端末にて通話やデータの送受信が可能である。
【０００３】
上述した環境であるため、ユーザは自身の現在の場所に応じて、使用する端末を選択することが可能である。そして、ユーザが発信する際には、各端末を使用すればよいが、着信の際には、ユーザが自身への着信を行う端末を指定する情報を、企業内に設置された構内交換機や接続制御サーバなどの接続制御装置に予め登録しておくことで、当該接続制御装置にて登録した端末にて着信することができる。
【０００４】
ここで、特許文献１に、上述した着信転送に関連する技術が開示されている。具体的に、特許文献１には、移動端末が位置登録エリアが変わる毎に位置登録を行い、かかる移動端末への呼を、位置登録に対応して予め登録した転送先に転送する、という技術が開示されている。これにより、着信の転送先を自動的に変更することを可能としている。
【先行技術文献】
【特許文献】
【０００５】
【特許文献１】特開平８−１６３６４０号公報
【発明の概要】
【発明が解決しようとする課題】
【０００６】
しかしながら、上述した技術では、移動端末の位置に対応する転送先を、接続制御を行う装置に予め登録しておかなければならない。このため、かかる登録をユーザが行っていない場合には、ユーザの移動端末に対する呼が所望の転送先に転送されず、通信装置の利用時におけるユーザの利便性の向上を図ることができない、という問題が生じる。
【０００７】
また、発信時にはユーザが自由に選択した端末を使用することとなるが、通信料や通信品質、端末の利便性などから、ユーザの位置に応じて所望の端末が自動的に使用できるようになると望ましい。ところが、このことに関しては上述した特許文献には何ら記載がなく、上述同様に、通信装置の利用時におけるユーザの利便性の向上を図ることができない、という問題が生じる。
【０００８】
このため、本発明の目的は、上述した課題である、通信装置の利用時におけるユーザの利便性の向上を図ることができないこと、を解決する通信システム、携帯型通信端末、接続制御装置、プログラム、通信制御方法を提供することにある。
【課題を解決するための手段】
【０００９】
本発明の一形態である通信システムは、
所定の通信装置間の接続制御を行う接続制御装置と、
前記接続制御装置と通信可能な携帯型通信端末と、を備え、
前記携帯型通信端末は、
所定の位置を指定する指定位置情報と、位置に応じて使用する通信装置を特定する使用装置情報と、を予め関連付けて記憶した使用装置情報記憶手段と、
自端末の位置を表す位置情報を取得する位置情報取得手段と、
前記位置情報取得手段にて取得した前記位置情報に対応する前記指定位置情報に関連付けられた前記使用装置情報を、前記接続制御装置に対して送信する使用装置情報送信手段と、を備え、
前記接続制御装置は、
前記携帯型通信端末から送信された前記使用装置情報に対応する通信装置を、当該使用装置情報を送信してきた前記携帯型通信端末を操作するユーザが使用する通信装置として、当該通信装置の接続制御を行う接続制御手段を備えた、
という構成をとる。
【００１０】
また、本発明の他の形態である携帯型通信端末は、
所定の通信装置間の接続制御を行う接続制御装置と通信可能な携帯型通信端末であって、
所定の位置を指定する指定位置情報と、位置に応じて使用する通信装置を特定する使用装置情報と、を予め関連付けて記憶した使用装置情報記憶手段と、
自端末の位置を表す位置情報を取得する位置情報取得手段と、
前記位置情報取得手段にて取得した前記位置情報に対応する前記指定位置情報に関連付けられた前記使用装置情報を、前記接続制御装置に対して送信する使用装置情報送信手段と、を備え、
前記使用装置情報送信手段は、前記使用装置情報に対応する通信装置が、自端末を操作するユーザが使用する通信装置として前記接続制御装置にて接続制御されるよう、前記使用装置情報を前記接続制御装置に対して送信する、
という構成をとる。
【００１１】
また、本発明の他の形態であるプログラムは、
所定の通信装置間の接続制御を行う接続制御装置と通信可能であり、所定の位置を指定する指定位置情報と、位置に応じて使用する通信装置を特定する使用装置情報と、を予め関連付けて記憶した使用装置情報記憶手段を備えた携帯型通信端末に、
自端末の位置を表す位置情報を取得する位置情報取得手段と、
前記位置情報取得手段にて取得した前記位置情報に対応する前記指定位置情報に関連付けられた前記使用装置情報を、前記接続制御装置に対して送信する使用装置情報送信手段と、を実現させると共に、
前記使用装置情報送信手段は、前記使用装置情報に対応する通信装置が、自端末を操作するユーザが使用する通信装置として前記接続制御装置にて接続制御されるよう、前記使用装置情報を前記接続制御装置に対して送信する、
ことを実現させるためのプログラムである。
【００１２】
また、本発明の他の形態である接続制御装置は、
所定の通信装置間の接続制御を行う接続制御装置であって、
通信可能な携帯型通信端末にて取得された当該携帯型通信端末の位置情報に対応して予め当該携帯型通信端末に記憶された、位置に応じて使用する通信装置を特定する使用位置情報を、前記携帯型通信端末から受信して、この受信した使用装置情報に対応する通信装置を、当該使用装置情報を送信してきた前記携帯型通信端末を操作するユーザが使用する通信装置として、当該通信装置の接続制御を行う接続制御手段を備えた、
という構成をとる。
【００１３】
また、本発明の他の形態であるプログラムは、
所定の通信装置間の接続制御を行う接続制御装置に、
通信可能な携帯型通信端末にて取得された当該携帯型通信端末の位置情報に対応して予め当該携帯型通信端末に記憶された、位置に応じて使用する通信装置を特定する使用位置情報を、前記携帯型通信端末から受信して、この受信した使用装置情報に対応する通信装置を、当該使用装置情報を送信してきた前記携帯型通信端末を操作するユーザが使用する通信装置として、当該通信装置の接続制御を行う接続制御手段、
を実現させるためのプログラムである。
【００１４】
また、本発明の他の形態である通信制御方法は、
所定の通信装置間の接続制御を行う接続制御装置と、前記接続制御装置と通信可能な携帯型通信端末と、を備えた通信システムによる通信制御方法であって、
前記携帯型通信端末が、
自端末の位置を表す位置情報を取得し、
予め関連付けられて記憶された、所定の位置を指定する指定位置情報と、位置に応じて使用する通信装置を特定する使用装置情報と、に基づいて、取得した前記位置情報に対応する前記指定位置情報に関連付けられた前記使用装置情報を、前記接続制御装置に対して送信し、
前記接続制御装置が、
前記携帯型通信端末から送信された前記使用装置情報に対応する通信装置を、当該使用装置情報を送信してきた前記携帯型通信端末を操作するユーザが使用する通信装置として、当該通信装置の接続制御を行う、
という構成をとる。
【００１５】
また、本発明の他の形態である通信制御方法は、
所定の通信装置間の接続制御を行う接続制御装置と通信可能な携帯型通信端末による通信制御方法であって、
自端末の位置を表す位置情報を取得し、
予め関連付けられて記憶された、所定の位置を指定する指定位置情報と、位置に応じて使用する通信装置を特定する使用装置情報と、に基づいて、取得した前記位置情報に対応する前記指定位置情報に関連付けられた前記使用装置情報を、前記接続制御装置に対して送信すると共に、前記使用装置情報に対応する通信装置が、自端末を操作するユーザが使用する通信装置として前記接続制御装置にて接続制御されるよう、前記使用装置情報を前記接続制御装置に対して送信する、
という構成をとる。
【００１６】
また、本発明の他の形態である通信制御方法は、
所定の通信装置間の接続制御を行う接続制御装置による通信制御方法であって、
通信可能な携帯型通信端末にて取得された当該携帯型通信端末の位置情報に対応して予め当該携帯型通信端末に記憶された、位置に応じて使用する通信装置を特定する使用位置情報を、前記携帯型通信端末から受信して、この受信した使用装置情報に対応する通信装置を、当該使用装置情報を送信してきた前記携帯型通信端末を操作するユーザが使用する通信装置として、当該通信装置の接続制御を行う、
という構成をとる。
【発明の効果】
【００１７】
本発明は、以上のように構成されることにより、通信装置の利用時におけるユーザの利便性の向上を図ることができる。
【図面の簡単な説明】
【００１８】
【図１】本発明の実施形態１における通信システムの全体構成を示すブロック図である。
【図２】図１に開示した携帯端末の構成を示す機能ブロック図である。
【図３】図２に開示したプロファイル情報記憶部に記憶される情報の一例を示す図である。
【図４】図２に開示したアドレス帳記憶部に記憶される情報の一例を示す図である。
【図５】図１に開示した接続制御サーバの構成を示す機能ブロック図である。
【図６】図５に開示したユーザ情報記憶部に記憶される情報の一例を示す図である。
【図７】図１に開示した通信システムの具体的な構成の一例を示す図である。
【図８】図１に開示した通信システムの具体的な構成の一例を示す図である。
【図９】図１に開示した通信システムの具体的な構成の一例を示す図である。
【図１０】図９に開示した通信システムの具体的な構成における動作の一例を示す図である。
【図１１】図９に開示した通信システムの具体的な構成における動作の一例を示す図である。
【図１２】図９に開示した通信システムの具体的な構成における動作の一例を示す図である。
【図１３】図１に開示した携帯端末の動作を示すフローチャートである。
【図１４】図１に開示した接続制御サーバの動作を示すフローチャートである。
【図１５】図１に開示した接続制御サーバの動作を示すフローチャートである。
【図１６】本発明の付記１における通信システムの構成を示すブロック図である。
【発明を実施するための形態】
【００１９】
＜実施形態１＞
本発明の第１の実施形態を、図１乃至図１５を参照して説明する。図１乃至図６は、通信システムの構成を説明するための図である。図７乃至図８は、通信システムの具体例を示す図であり、図９乃至１２は、通信システムの具体例における構成及び動作を示す図である。図１３乃至図１５は、通信システムを構成する携帯端末と接続制御サーバの動作を示すフローチャートである。
【００２０】
［構成］
本実施形態における通信システムは、図１に示すように、所定のユーザが操作する携帯端末１０（携帯型通信端末）と、この携帯端末１０にネットワークを介して通信可能な接続制御サーバ２０（接続制御装置）と、当該接続制御サーバ２０にて接続制御される通信装置３０，４０，５０と、を備えている。ここで、上記通信端末１０は、携帯電話網やインターネット網といった無線及び／あるいは有線のネットワークＮを介して接続制御サーバ２０に接続可能である。また、上記通信装置３０，４０，５０は、それぞれオフィスＡ，Ｂ，Ｃ内のＬＡＮ（Local Area Network）に接続されており、これらオフィスＡ，Ｂ，ＣのＬＡＮは、ＶＰＮ（Virtual Private Network）にて接続されている。このため、各通信装置３０，４０，５０は、接続制御サーバ２０の配下に接続されており、当該接続制御サーバ２０にて接続制御される。なお、オフィスＡ，Ｂ，Ｃ間は、いかなるネットワーク網で接続されていてもよい。以下、各構成について詳述する。
【００２１】
上記携帯端末１０（携帯型通信端末）は、所定のユーザが操作する携帯電話機といった通信端末である。そして、携帯端末１０は、図２に示すように、装備された演算装置にプログラムが組み込まれることで構築された、プロファイル情報入力部１１と、位置情報取得部１２と、プロファイル情報送信部１３と、発信処理部１４と、着信処理部１５と、を備えている。また、携帯端末１０は、装備された記憶装置に形成された、プロファイル情報記憶部１６と、アドレス帳記憶部１７と、を備えている。
【００２２】
上記プロファイル情報入力部１１は、携帯端末１０に装備されたキーボード（ソフトウェアキーを含む）などの入力装置や接続された他の装置から、携帯端末１０を操作するユーザによるプロファイル情報の入力を受け付けて、プロファイル情報記憶部１６に記憶する。プロファイル情報１６ａは、図３に示すように、所定の位置を指定する「指定位置情報」を含んでおり、この「指定位置情報」にて表される位置で携帯端末１０を操作するユーザが使用する通信端末を特定する情報を含んでいる。具体的に、プロファイル情報１６ａは、それぞれ、「指定位置情報」に、発信に使用する通信装置を特定する「発信通信装置情報」と、着信に使用する通信装置を特定する「着信通信装置情報」と、を関連付けて含んでいる。なお、「指定位置情報」は、例えば、経度・緯度による情報や、住所表示による情報で表されている。また、「発信通信装置情報」や「着信通信装置情報」は、通信装置毎に付与された当該通信装置を識別する識別情報にて表されており、電話番号や特定のオフィス内における内線電話番号にて表されている。但し、上記各情報は一例であって、他の情報であってもよい。
【００２３】
また、上記プロファイル情報１６ａは、上記「指定位置情報」にて表される位置に携帯端末１０を操作するユーザがいるときに当該ユーザに対する着信の転送先となる通信装置を特定する「転送先情報」を、「指定位置情報」に関連付けて含んでいる。「転送先情報」は、例えば、携帯端末１０自体の電話番号や、「指定位置情報」にて表される位置に設置されている通信装置への発信アドレス情報が用いられるが、かかる情報は一例であって、他の情報が用いられてもよい。
【００２４】
さらに、上記プロファイル情報１６ａは、上記「指定位置情報」にて表される位置に携帯端末１０を操作するユーザがいるときに当該ユーザの状況を表すプレゼンス情報（ユーザ状況情報）を、「指定位置情報」に関連付けて含んでいる。この「プレゼンス情報」は、例えば、ユーザがネットワークを介してアクセス可能な状態である「Online」という情報や、ユーザが会議中である「Meeting」という情報など、ユーザの現在の状況を記憶して管理するプレゼンスサーバ２８に登録される情報が用いられる。但し、かかる情報は一例であって、他の情報が用いられてもよい。
【００２５】
ここで、上記プロファイル情報１６ａに含まれる「指定位置情報」には、所定の位置を指定する情報が設定されていなくてもよい。例えば、ユーザが移動中であることを表すプロファイル情報１６ａの「指定位置情報」には、「位置の指定がない」という情報が設定されていてもよく、あるいは、なんら情報が設定されていなくてもよい。また、上記プロファイル情報１６ａに含まれる各情報には、必ずしも何らかの情報が設定されている必要はなく、何も情報が設定されていなくてもよい。
【００２６】
上記位置情報取得部１２（位置情報取得手段）は、携帯端末１０に装備されたＧＰＳ（Global Positioning System）受信機（図示せず）を用いて、携帯端末１０の位置情報を取得し、プロファイル情報送信部１３に送信する。例えば、位置情報取得部１２は、所定の時間間隔で位置情報を取得したり、所定の処理タイミングで位置情報を取得する。なお、位置情報取得部１２は、他の手法にて位置情報を取得してもよく、例えば、無線基地局から受信した位置情報を取得して用いてもよい。
【００２７】
上記プロファイル情報送信部１３（使用装置情報送信手段）は、上述した位置情報取得部１２にて取得した位置情報に対して、予め設定された基準により一致すると判断できる上記プロファイル情報記憶部１６に記憶されている「指定位置情報」を検索する。そして、取得した位置情報に一致すると判定された「指定位置情報」を含むプロファイル情報を読み出して、前回読み出したプロファイル情報と同一か否かを調べる。その結果、新たに読み出したプロファイル情報が前回読み出したプロファイル情報と異なる場合のみ、新たに読み出したプロファイル情報を接続制御サーバ２０に送信する。つまり、取得した位置情報に変化が生じた場合に、当該取得した位置情報に対応する「指定位置情報」に関連付けられた「発信通信装置情報」、「着信通信装置情報」、「プレゼンス情報」、「転送先情報」を含むプロファイル情報を、接続制御サーバ２０に送信する。
【００２８】
このとき、プロファイル情報送信部１３は、プロファイル情報と共に、携帯端末１０を操作するユーザを識別するユーザ識別情報を付加して送信する。なお、ユーザ識別情報は、ユーザを特定できる情報であればよく、携帯端末１０を識別する識別情報であってもよい。また、後述するように、送信したユーザ識別情報を用いて接続制御サーバ２０がユーザを識別可能なよう、当該接続制御サーバ２０にユーザ識別情報自体あるいはこれに対応する情報が予め登録されている。
【００２９】
上記プロファイル情報送信部１３は、位置情報取得部１２にて取得した位置情報に一致すると判断できる「指定位置情報」を含むプロファイル情報が存在しない場合には、上記プロファイル情報記憶部１６から位置の指定がない「指定位置情報」を含むプロファイル情報を読み出す。そして、この新たに読み出したプロファイル情報が前回読み出したプロファイル情報と異なる場合のみ、上述同様に新たに読み出したプロファイル情報をユーザ識別情報と共に接続制御サーバ２０に送信する。
【００３０】
ここで、上記プロファイル情報送信部１３が、位置情報取得部１２にて取得した位置情報と、プロファイル情報内の「指定位置情報」と、が一致するか否かを判断する基準は、例えば、「経度・緯度に基づいて両位置間の距離を算出して、その距離が半径１００ｍ以内である場合」や、「住所表示が同一である場合」などである。但し、プロファイル情報送信部１３は、他の判断基準にて、位置情報取得部１２にて取得した位置情報と、プロファイル情報内の「指定位置情報」と、が一致するか否かを判断してもよい。
【００３１】
上記発信処理部１４（発信要求手段）は、発信先ユーザに対する発信要求を表す発信要求情報を、接続制御サーバ２０に対して送信する。具体的に、発信処理部１４は、携帯端末１０に備えられたアドレス帳記憶部１７に記憶されているアドレス帳内から、発信先ユーザのアドレス情報を選択して読み出し、かかるアドレス情報に含まれる発信先ユーザを特定する発信先ユーザ特定情報を発信要求情報に含めて、接続制御サーバ２０に送信する。このとき、発信処理部１４は、発信要求情報と共に、携帯端末１０を操作するユーザを識別するユーザ識別情報も接続制御サーバ２０に送信する。
【００３２】
ここで、上記アドレス帳記憶部１７（発信先ユーザ情報記憶手段）は、他のユーザの「氏名」や「電話番号」などのアドレス情報１７ａの束であるアドレス帳を記憶している。アドレス情報１７ａとしては、例えば、図４に示すように、他のユーザの「氏名」に、「会社電話番号」や「携帯電話番号」、「電子メールアドレス」（図示せず）、「住所」（図示せず）などを関連付けて記憶している。なお、図４に示す「会社電話番号」は、例えば、「03-1234-XXXX」といった会社宛の電話番号に、「1000」といった特定のユーザが使用する会社内における通信装置の内線番号を含む。このように、アドレス情報１７ａは、発信先となるユーザの発信先ユーザ特定情報を含んでいるため、上述したように発信処理部１４にて選択されることで、携帯端末１０から発信先ユーザを特定して発信することができる。なお、上述した発信先ユーザ特定情報は一例であって、他の情報であってもよい。
【００３３】
上記着信処理部１５は、接続制御サーバ２０の接続制御による他の通信端末からの着信を受け付ける。このとき、接続制御サーバ２０からは、発信元となる通信装置を識別する発信元ユーザ特定情報と共に着信を通知するため、着信処理部１５は、アドレス帳記憶部１７に記憶されているアドレス帳内から該当するユーザのアドレス情報を読み出して、着信と共に携帯端末１０にアドレス情報を表示する。
【００３４】
なお、上記発信処理部１４と着信処理部１５とは、図１に開示した接続制御サーバ２０の配下に位置する通信装置への発信や当該通信装置からの着信を処理する接続制御を行うのみならず、接続制御サーバ２０の配下にない他の通信端末との通常の発着信を行う機能も有する。
【００３５】
次に、接続制御サーバ２０（接続制御装置）の構成について説明する。接続制御サーバ２０は、図１に示すように、ネットワークＮを介して携帯端末１０と接続して通信可能である。また、接続制御サーバ２０は、オフィスＡ内のＬＡＮに接続されており、これにより、ＶＰＮを介して、各オフィスＡ，Ｂ，Ｃ内の各通信装置３０，４０，５０の接続制御が可能である。
【００３６】
上記接続制御サーバ２０は、図５に示すように、装備された演算装置にプログラムが組み込まれることで構築され、通信装置間の接続制御を行う接続制御手段として機能するプロファイル情報登録部２１と接続制御処理部２２とを備えている。また、接続制御サーバ２０は、装備された記憶装置に形成されたユーザ情報記憶部２３を備えている。
【００３７】
上記プロファイル情報登録部２１は、上述した携帯端末１０のプロファイル情報送信部１３から送信されたプロファイル情報を受信し、ユーザ情報記憶部２３に記憶する。具体的に、プロファイル情報登録部２１は、まず、携帯端末１０からプロファイル情報と共に受信したユーザ識別情報から、当該プロファイル情報を送信したユーザを特定する。そして、ユーザ情報記憶部２３内における特定したユーザのユーザ情報２３ａに、受信したプロファイル情報を含めて記憶して、当該ユーザ情報２３ａを更新する。ここで、ユーザ情報記憶部２３に記憶されているユーザ情報２３ａは、例えば、図６に示すように、予め「ユーザ基本情報」として、ユーザ識別情報、ユーザ名、内線電話番号（内線Ａ，Ｂ）が記憶されている。このような状況において、プロファイル情報登録部２１は、受信したユーザ識別情報に対応する「ユーザ基本情報」を有するユーザ情報２３ａに、図６に示すように、受信したプロファイル情報（発信通信装置情報、着信通信装置情報、プレゼンス情報、転送先情報）を「プロファイル登録情報」として関連付けて登録する。
【００３８】
なお、プロファイル情報登録部２１は、携帯端末１０からプロファイル情報を受信したユーザに対応するユーザ情報２３ａに、既に「プロファイル登録情報」が登録されている場合であっても、最も新しく受信したプロファイル情報を「プロファイル登録情報」として更新登録する。つまり、上述したように、携帯端末１０からは当該携帯端末１０の位置が変更される度にプロファイル情報が送信されるため、携帯端末１０の位置に対応して設定されたプロファイル情報が、常に接続制御サーバ２０に更新登録されることとなる。
【００３９】
また、プロファイル情報登録部２１は、プロファイル情報を受信すると、当該プロファイル情報に対応するユーザのプレゼンス情報を更新する機能を有する。具体的には、受信したプロファイル情報に含まれているプレゼンス情報を、接続制御サーバ２０に接続されているプレゼンスサーバ２８に対して反映する。
【００４０】
上記接続制御処理部２２は、携帯端末１０の発信処理部１４から、あるいは、他の通信装置から送信された発信要求情報を受信して、発信元となる通信端末と発信先となる通信端末との接続制御を行う。具体的に、接続制御処理部２２は、発信要求情報を受信すると、まず、発信要求情報と共に送信されたユーザ識別情報を抽出して、発信要求したユーザのユーザ情報２３ａを特定する。つまり、接続制御処理部２２は、発信要求情報と共に送信されたユーザ識別情報に対応するユーザ識別情報が記憶されたユーザ情報２３ａを、ユーザ情報記憶部２３内から読み出す。そして、接続制御処理部２２は、読み出したユーザ情報２３ａに記憶されているプロファイル情報のうち、「発信通信装置情報」、「着信通信装置情報」、「転送先情報」を特定する。
【００４１】
接続制御処理部２２は、上記特定した「発信通信装置情報」に対応する通信装置（発信側通信装置）から、特定した「着信通信装置情報」に対応する通信装置（着信側通信装置）に発信処理を行うよう、通信端末間の接続制御を行う。また、接続制御処理部２２は、特定した「転送先情報」に対応する通信装置への着信を転送するよう、接続制御を行う。なお、特定された発信側通信装置と着信側通信装置との間の接続制御処理は、一般的な接続制御装置にて実現可能であるため、その詳細な説明は省略する。
【００４２】
［動作］
次に、上述した通信システムの動作を、図７乃至図１２に示す通信システムの具体例と、図１３乃至図１５に示すフローチャートと、を参照して説明する。
【００４３】
ここでは、まず、図７に示す「携帯端末１０」を操作するユーザを「ユーザＡ」とする。そして、かかる「ユーザＡ」が使用可能な通信装置が、図７に示す「オフィスＡ」に設置された「固定電話６１」及び「ソフト電話６２」、「オフィスＢ」に設置された「部署電話６３」、「オフィスＣ」に設置された「会議室電話６４」、「自宅」に配置された「固定一般電話６５」であることとする。
【００４４】
なお、図７に示す「オフィスＡ」に設置された「ソフト電話６２」は、一般的な情報処理端末に組み込まれたソフトウェアによって通信機能が実現されたものであるため、いかなる場所に設置された情報処理装置にも組み込んで使用することが可能である。また、各「オフィスＡ，Ｂ，Ｃ」はＶＰＮで接続可能であるため、図７に示す「オフィスＡ」に設置された接続制御サーバ２０の配下により接続制御可能である。但し、上述した「ソフト電話６２」は、組み込まれた情報処理端末がインターネット網に接続可能であれば、上記ＶＰＮにて接続可能であり、接続制御サーバ２０の配下にて接続制御可能である。
【００４５】
上述したような「ユーザＡ」の通信環境において、当該「ユーザＡ」が操作する携帯端末１０のプロファイル情報記憶部１６には、予め図８に示すようなプロファイル情報（ここでは、「ＱＳＰ（Quick Set Profile）」と示す）が、ユーザＡにて携帯端末１０に入力されて、指定位置毎に登録されていることとする。具体的に、「オフィスＡ」の位置に対応するプロファイル情報１６ａとして、「オフィスＡを指定する位置情報」に、発信通信端末情報として「発信内線：オフィスＡ内線７０００」、着信通信端末情報として「着信内線：オフィスＡ内線７０００，ＷｉＦｉ内線７００２」、プレゼンス情報として「プレゼンス：Online」、転送先情報として「転送設定：無し」という情報が関連付けられて登録されている。また、「ユーザＡ」の移動中、つまり、指定しない位置におけるプロファイル情報１６ａとしては、「位置の指定無し」という指定位置情報に、発信通信端末情報として「発信内線：携帯電話」、着信通信端末情報として「着信内線：無し」、プレゼンス情報として「プレゼンス：away」、転送先情報として「転送設定：外出設定（090-1111-XXXX）」という情報が関連付けられて登録されている。他のプロファイル情報については、説明を省略する。
【００４６】
そして、ユーザＡの携帯端末１０は、一定の時間間隔や予め設定された任意のタイミングで、携帯端末１０自体の位置情報を取得する（図１３のステップＳ１）。すると、携帯端末１０は、取得した位置情報と一致すると判断される指定位置情報を含むプロファイル情報が存在する場合には、かかるプロファイル情報を読み出す（図１３のステップＳ２，ステップＳ３でＮｏ）。そして、携帯端末１０は、新たに読み出したプロファイル情報が前回読み出したプロファイル情報に対して変化がある場合には（図１３のステップＳ５でＹｅｓ）、新たに読み出したプロファイル情報にユーザＡのユーザ識別情報を付加して、接続制御サーバ２０に送信する（図１３のステップＳ６）。
【００４７】
なお、携帯端末１０は、取得した位置情報と一致すると判定される指定位置情報を含むプロファイル情報が存在しない場合には（図１３のステップＳ３でＹｅｓ）、位置指定がないプロファイル情報、つまり、ユーザＡの携帯端末１０が「移動中」である場合に対応するプロファイル情報、を読み出す（図１３のステップＳ４）。そして、携帯端末１０は、上述同様に、新たに読み出したプロファイル情報が前回読み出したプロファイル情報に対して変化がある場合には（図１３のステップＳ５でＹｅｓ）、新たに読み出したプロファイル情報にユーザＡのユーザ識別情報を付加して、接続制御サーバ２０に送信する（図１３のステップＳ６）。
【００４８】
上述したように携帯端末１０からプロファイル情報の送信を受けた接続制御サーバ２０は、かかるプロファイル情報を受信して（図１４のステップＳ１１）、プロファイル情報と共に送信されたユーザ識別情報からユーザを特定する（図１４のステップＳ１２）。接続制御サーバ２０は、特定したユーザのユーザ情報に関連付けて、受信したプロファイル情報をユーザ情報記憶部２３内に更新登録する（図１４のステップＳ１３）。また、接続制御サーバ２０は、プレゼンスサーバ２８にて管理される特定したユーザのプレゼンス情報を、受信したプロファイル情報に含まれるプレゼンス情報に更新する（図１４のステップＳ１３）。
【００４９】
以上のように携帯端末１０は動作することで、当該携帯端末１０を操作するユーザＡの現在の位置に対応したプロファイル情報が、接続制御サーバ２０に最新のユーザ情報として登録されることとなる。
【００５０】
次に、図９乃至図１１に示すように、ユーザＡの携帯端末１０が、オフィスＡの外部、つまり、ユーザＡが移動中であるときに、各オフィス内の他のユーザに発信する場合を説明する。
【００５１】
まずはじめに、図１０においては、ユーザＢがオフィスＡに位置し、当該ユーザＢのオフィスＡに対応するプロファイル情報が接続制御サーバ２０に登録されていることとする。なお、ユーザＢのオフィスＡに対応するプロファイル情報では、当該ユーザＢの着信通信端末が、符号６６ｂに示すソフト電話に設定されていることとする。
【００５２】
かかる状況において、ユーザＡは、携帯端末１０にてアドレス帳を検索して、発信先ユーザとなるユーザＢのアドレス情報を選択する。そして、ユーザＢのアドレス情報を指定して、当該ユーザＢを発信先ユーザとして発信要求を入力する。すると、携帯端末１０は、例えば、ユーザＢの会社の電話番号（03-1234-XXXX）及び固定電話の内線番号（1000）からなる当該ユーザＢを特定する発信先ユーザ特定情報（03-1234-XXXX, 1000）を含む発信要求情報を、接続制御サーバ２０に対して送信する。このとき、携帯端末１０は、発信先ユーザ特定情報に、発信元となるユーザＡを識別するユーザ識別情報を付加して、接続制御サーバ２０に送信する。なお、ユーザＢを特定する発信先ユーザ特定情報は、会社の電話番号（03-1234-XXXX）に、ユーザＢに固有の社員番号などの識別番号を付加した情報であってもよく、他の情報であってもよい。
【００５３】
接続制御サーバ２０は、上記ユーザＡの携帯端末１０から送信された発信要求情報を、オフィスＡに設置されたＶｏＩＰ  ＧＷ（Voice over Internet Protocol GgateWay）７０を介して受信する（図１５のステップＳ２１）。すると、接続制御サーバ２０は、まず、発信要求情報に付加されたユーザＡのユーザ識別情報から発信元がユーザＡであることを特定する。また、接続制御サーバ２０は、発信要求情報に含まれる発信先ユーザ特定情報から、発信先がユーザＢであることを特定する。そして、接続制御サーバ２０は、特定した発信元であるユーザＡのプロファイル情報が含まれたユーザ情報と、特定した発信先であるユーザＢのプロファイル情報が含まれたユーザ情報と、をユーザ情報記憶部２３から読み出す（図１５のステップＳ２２）。
【００５４】
続いて、接続制御サーバ２０は、発信元であるユーザＡのプロファイル情報から、発信通信装置情報が「携帯電話」であることを特定する。また、接続制御サーバ２０は、発信先であるユーザＢのプロファイル情報から、着信通信装置情報が「オフィスＡ」内の「ソフト電話６６ｂ：内線１００１」であることを特定する（図１５のステップＳ２３）。そして、接続制御サーバは、図１０の矢印に示すように、発信元であるユーザＡの携帯端末１０から、発信先であるユーザＢのソフト電話６６ｂに対して発信するよう、接続制御を行う（図１５のステップＳ２４）。これにより、ユーザＡは携帯端末１０を使用し、ユーザＢはソフト電話６６ｂを使用することにより、相互に通信を行うことができる。
【００５５】
ここで、上記とは異なり、図１１に示すように、ユーザＢがオフィスＣに位置し、当該オフィスＣに対応するプロファイル情報が接続制御サーバ２０に登録されている場合を説明する。なお、ユーザＢのオフィスＣに対応するプロファイル情報では、ユーザＢの着信通信端末が、符号６４に示す固定電話（会議室）に設定されていることとする。
【００５６】
かかる状況においても、ユーザＡがユーザＢに発信する際の操作は、上述した操作と変わらない。つまり、ユーザＡは、携帯端末１０にてアドレス帳を検索して、発信先ユーザとなるユーザＢのアドレス情報を選択し、当該ユーザＢのアドレス情報を指定して、当該ユーザＢを発信先ユーザとして発信要求を入力する。すると、携帯端末１０は、ユーザＢを特定する発信先ユーザ特定情報を含む発信要求情報を、接続制御サーバ２０に対して送信する。
【００５７】
そして、上記ユーザＡの携帯端末１０から送信された発信要求情報を受信した接続制御サーバ２０は、上述同様に、発信元であるユーザＡのプロファイル情報と、発信先であるユーザＢのプロファイル情報とを、ユーザ情報記憶部２３から読み出す。続いて、接続制御サーバ２０は、発信元であるユーザＡのプロファイル情報から、発信通信装置情報が「携帯電話」であることを特定する。また、接続制御サーバ２０は、発信先であるユーザＢのプロファイル情報から、着信通信装置情報が「オフィスＣ」内の「固定電話（会議室）６４：内線４０００」であることを特定する。そして、接続制御サーバは、図１１の矢印に示すように、発信元であるユーザＡの携帯端末１０から、発信先であるユーザＢが位置するオフィスＣの固定電話（会議室）６４に対して発信するよう、接続制御を行う。これにより、ユーザＡは携帯端末１０を使用し、ユーザＢは会議室の固定電話（会議室）６４を使用することにより、相互に通信を行うことができる。
【００５８】
以上により、ユーザＡは外出中で自身が使用できる携帯端末１０を使用して発信でき、また、ユーザＢは自身の位置に応じて、オフィスＡのソフト電話６６ｂやオフィスＣの固定電話（会議室）６４にて着信することができる。そして、このとき、ユーザＡやユーザＢは、自身の移動に応じて使用する通信装置を登録する操作を行う必要がなく、予め設定した情報が自動的に接続制御サーバ２０に登録されて接続制御されるため、通信装置の利用時におけるユーザの利便性の向上を図ることができる。
【００５９】
なお、接続制御サーバ２０は、発信先のユーザのプロファイル情報に「転送先」が設定されている場合には、転送先のアドレス（電話番号など）に対して着信を転送するよう接続制御する。このとき、発信先のユーザのプロファイル情報に上述したように「着信通信装置情報」が設定されている場合であっても、かかる着信通信装置情報に設定された通信装置が着信するよう接続制御すると同時に、転送先の通信装置にも着信を転送する。
【００６０】
ここで、さらに上記とは異なり、図１２に示すように、ユーザＡがオフィスＡに位置し、当該ユーザＡのオフィスＡに対応するプロファイル情報が接続制御サーバ２０に登録されている場合を説明する。このとき、ユーザＡのオフィスＡに対応するプロファイル情報が登録されており、発信通信装置が、符号６１に示す固定電話に設定されていることとする。また、ユーザＡの発信先となるユーザＣは、オフィスＣに位置しており、当該ユーザＣのオフィスＣに対応するプロファイル情報が登録され、着信通信装置が、符号６７ａに示す固定電話に設定されていることとする。
【００６１】
かかる状況においても、ユーザＡによる発信時の操作は上記とは変わらない。つまり、ユーザＡは、携帯端末１０にてアドレス帳を検索して、発信先ユーザとなるユーザＣのアドレス情報を選択し、当該ユーザＣのアドレス情報を指定して、当該ユーザＣを発信先ユーザとして発信要求を入力する。すると、携帯端末１０は、ユーザＣを特定する発信先ユーザ特定情報を含む発信要求情報を、図１２の矢印（１）に示すように、無線通信により接続されたオフィスＡ内に設置されたＡＰ（Access Point）８０を介して、接続制御サーバ２０に対して送信する。
【００６２】
そして、上記ユーザＡの携帯端末１０から送信された発信要求情報を受信した接続制御サーバ２０は、上述同様に、発信元であるユーザＡのプロファイル情報と、発信先であるユーザＣのプロファイル情報とを、ユーザ情報記憶部２３から読み出す。続いて、接続制御サーバ２０は、発信元であるユーザＡのプロファイル情報から、発信通信装置情報が「固定電話：内線７０００」であることを特定する。また、接続制御サーバ２０は、発信先であるユーザＣのプロファイル情報から、着信通信装置情報が「オフィスＣ」内の「固定電話６７ａ：内線２０００」であることを特定する。
【００６３】
そして、接続制御サーバは、図１２の矢印（２），（３）に示すように、発信元であるユーザＡが使用可能なオフィスＡ内にある固定電話６１から、発信先であるユーザＣが位置するオフィスＣの固定電話６７ａに対して発信するよう、接続制御を行う。これにより、ユーザＡはオフィスＡに設置された固定電話６１を使用し、ユーザＣはオフィスＣの固定電話６７ａを使用して、相互に通信を行うことができる。
【００６４】
以上により、ユーザＡは、自身が位置するオフィスＡで使用できる固定電話６１を使用して発信でき、また、ユーザＣは自身が位置するオフィスＣの固定電話６７ａにて着信することができる。特に、ユーザＡは、自身が操作する携帯端末１０に登録されたアドレス帳を利用して発信要求を行いつつ、別の通信装置である固定電話６１を用いて発信することができる。さらに、このとき、ユーザＡやユーザＣは、自身の移動に応じて使用する通信装置を登録する操作を行う必要がなく、予め設定した情報が自動的に登録されて接続制御されるため、通信装置の利用時におけるユーザの利便性の向上を図ることができる。
【００６５】
＜付記＞
上記実施形態の一部又は全部は、以下の付記のようにも記載されうる。以下、本発明における通信システム（図１６参照）、携帯型通信端末、接続制御装置、プログラム、通信制御方法の構成の概略を説明する。但し、本発明は、以下の構成に限定されない。
【００６６】
（付記１）
所定の通信装置間の接続制御を行う接続制御装置２００と、
前記接続制御装置と通信可能な携帯型通信端末１００と、を備え、
前記携帯型通信端末１００は、
所定の位置を指定する指定位置情報と、位置に応じて使用する通信装置を特定する使用装置情報と、を予め関連付けて記憶した使用装置情報記憶手段１０１と、
自端末の位置を表す位置情報を取得する位置情報取得手段１０２と、
前記位置情報取得手段にて取得した前記位置情報に対応する前記指定位置情報に関連付けられた前記使用装置情報を、前記接続制御装置に対して送信する使用装置情報送信手段１０３と、を備え、
前記接続制御装置２００は、
前記携帯型通信端末から送信された前記使用装置情報に対応する通信装置を、当該使用装置情報を送信してきた前記携帯型通信端末を操作するユーザが使用する通信装置として、当該通信装置の接続制御を行う接続制御手段２０１を備えた、
通信システム。
【００６７】
（付記２）
付記１に記載の通信システムであって、
前記携帯型通信端末が有する前記使用装置情報送信手段は、発信に使用する通信装置を特定する発信装置情報を含む前記使用装置情報を、前記接続制御装置に対して送信し、
前記接続制御装置が有する前記接続制御手段は、前記使用装置情報を送信してきた前記携帯型通信端末を操作するユーザからの発信要求に応じて、前記使用装置情報に含まれる前記発信装置情報に対応する通信装置を発信側通信装置として接続制御を行う、
通信システム。
【００６８】
（付記３）
付記２に記載の通信システムであって、
前記携帯型通信端末は、発信先ユーザに対する発信要求を表す発信要求情報を、前記接続制御装置に対して送信する発信要求手段を備え、
前記接続制御装置が有する前記接続制御手段は、前記携帯型通信端末から送信された前記発信要求情報に応じて、当該発信要求情報を送信してきた前記携帯型通信端末からの前記使用装置情報に含まれる前記発信装置情報に対応する通信装置を発信側通信装置として、当該発信側通信装置から前記発信先ユーザに対して発信するよう接続制御を行う、
通信システム。
【００６９】
（付記４）
付記３に記載の通信システムであって、
前記携帯型通信端末は、発信先ユーザを特定する発信先ユーザ特定情報を記憶した発信先ユーザ情報記憶手段を備えると共に、
前記携帯型通信端末が有する前記発信要求手段は、前記発信先ユーザ情報記憶手段に記憶された前記発信先ユーザ特定情報を前記発信要求情報に含めて前記接続制御装置に送信し、
前記接続制御装置が有する前記接続制御手段は、前記携帯型通信端末から送信された前記発信要求情報に含まれる前記発信先ユーザ特定情報にて特定される前記発信先ユーザに対して発信するよう接続制御を行う、
通信システム。
【００７０】
（付記５）
付記１乃至４のいずれかに記載の通信システムであって、
前記携帯型通信端末が有する前記使用装置情報送信手段は、着信に使用する通信装置を特定する着信装置情報を含む前記使用装置情報を、前記接続制御装置に対して送信し、
前記接続制御装置が有する前記接続制御手段は、前記使用装置情報を送信してきた前記携帯型通信端末を操作するユーザへの発信要求に応じて、前記使用装置情報に含まれる前記着信装置情報に対応する通信装置を着信側通信装置として接続制御を行う、
通信システム。
【００７１】
（付記６）
付記１乃至５のいずれかに記載の通信システムであって、
前記携帯型通信端末が有する前記使用装置情報送信手段は、前記位置情報取得手段にて取得した前記位置情報に変化が生じたときに、当該位置情報に対応する前記指定位置情報に関連付けられた前記使用装置情報を、前記接続制御装置に対して送信し、
前記接続制御装置が有する接続制御手段は、前記携帯型通信端末から送信された前記使用装置情報のうち最新の当該使用装置情報に対応する通信端末を、当該使用装置情報を送信してきた前記携帯型通信端末を操作するユーザが使用する通信装置として、当該通信装置の接続制御を行う、
通信システム。
【００７２】
（付記７）
付記１乃至６のいずれかに記載の通信システムであって、
前記携帯型通信端末が有する前記使用装置情報記憶手段は、位置の指定がない前記指定位置情報と、前記使用装置情報と、が予め関連付けられた情報を記憶しており、
前記携帯型通信端末が有する前記使用装置情報送信手段は、前記位置情報取得手段にて取得した前記位置情報に対応する前記指定位置情報が前記使用装置情報記憶手段内に無い場合に、位置の指定が無い前記指定位置情報に関連付けられた前記使用装置情報を、前記接続制御装置に対して送信する、
通信システム。
【００７３】
（付記８）
付記１乃至７のいずれかに記載の通信システムであって、
前記携帯型通信端末が有する前記使用装置情報記憶手段は、前記指定位置情報に、着信時の転送先となる通信装置を特定する転送先情報を予め関連付けて記憶しており、
前記携帯型通信端末が有する前記使用装置情報送信手段は、前記位置情報取得手段にて取得した前記位置情報に対応する前記指定位置情報に関連付けられた前記転送先情報を、前記接続制御装置に対して送信し、
前記接続制御装置が有する前記接続制御手段は、前記転送先情報を送信してきた前記携帯型通信端末を操作するユーザへの発信要求に応じて、当該発信要求にかかる着信を前記転送先情報にて特定される通信装置に転送するよう接続制御を行う、
通信システム。
【００７４】
（付記９）
付記１乃至８のいずれかに記載の通信システムであって、
前記携帯型通信端末が有する前記使用装置情報記憶手段は、前記指定位置情報に、ユーザの状況を表すユーザ状況情報を予め関連付けて記憶しており、
前記携帯型通信端末が有する前記使用装置情報送信手段は、前記位置情報取得手段にて取得した前記位置情報に対応する前記指定位置情報に関連付けられた前記ユーザ状況情報を前記接続制御装置に対して送信し、
前記接続制御装置が有する前記接続制御手段は、前記ユーザ状況情報を、当該ユーザ状況情報を送信してきた前記携帯型通信端末を操作するユーザの状況を表す情報として、予め設定されたプレゼンスデータに登録する、
通信システム。
【００７５】
（付記１０）
所定の通信装置間の接続制御を行う接続制御装置と通信可能な携帯型通信端末であって、
所定の位置を指定する指定位置情報と、位置に応じて使用する通信装置を特定する使用装置情報と、を予め関連付けて記憶した使用装置情報記憶手段と、
自端末の位置を表す位置情報を取得する位置情報取得手段と、
前記位置情報取得手段にて取得した前記位置情報に対応する前記指定位置情報に関連付けられた前記使用装置情報を、前記接続制御装置に対して送信する使用装置情報送信手段と、を備え、
前記使用装置情報送信手段は、前記使用装置情報に対応する通信装置が、自端末を操作するユーザが使用する通信装置として前記接続制御装置にて接続制御されるよう、前記使用装置情報を前記接続制御装置に対して送信する、
携帯型通信端末。
【００７６】
（付記１１）
付記１０に記載の携帯型通信端末であって、
前記使用装置情報送信手段は、発信に使用する通信装置を特定する発信装置情報を含む前記使用装置情報を、自端末を操作するユーザからの発信要求に応じて前記使用装置情報に含まれる前記発信装置情報に対応する通信装置が発信側通信装置として前記接続制御装置にて接続制御されるよう、当該接続制御装置に対して送信する、
携帯型通信端末。
【００７７】
（付記１２）
所定の通信装置間の接続制御を行う接続制御装置と通信可能であり、所定の位置を指定する指定位置情報と、位置に応じて使用する通信装置を特定する使用装置情報と、を予め関連付けて記憶した使用装置情報記憶手段を備えた携帯型通信端末に、
自端末の位置を表す位置情報を取得する位置情報取得手段と、
前記位置情報取得手段にて取得した前記位置情報に対応する前記指定位置情報に関連付けられた前記使用装置情報を、前記接続制御装置に対して送信する使用装置情報送信手段と、を実現させると共に、
前記使用装置情報送信手段は、前記使用装置情報に対応する通信装置が、自端末を操作するユーザが使用する通信装置として前記接続制御装置にて接続制御されるよう、前記使用装置情報を前記接続制御装置に対して送信する、
ことを実現させるためのプログラム。
【００７８】
（付記１３）
付記１２に記載のプログラムであって、
前記使用装置情報送信手段は、発信に使用する通信装置を特定する発信装置情報を含む前記使用装置情報を、自端末を操作するユーザからの発信要求に応じて前記使用装置情報に含まれる前記発信装置情報に対応する通信装置が発信側通信装置として前記接続制御装置にて接続制御されるよう、当該接続制御装置に対して送信する、
プログラム。
【００７９】
（付記１４）
所定の通信装置間の接続制御を行う接続制御装置であって、
通信可能な携帯型通信端末にて取得された当該携帯型通信端末の位置情報に対応して予め当該携帯型通信端末に記憶された、位置に応じて使用する通信装置を特定する使用位置情報を、前記携帯型通信端末から受信して、この受信した使用装置情報に対応する通信装置を、当該使用装置情報を送信してきた前記携帯型通信端末を操作するユーザが使用する通信装置として、当該通信装置の接続制御を行う接続制御手段を備えた、
接続制御装置。
【００８０】
（付記１５）
付記１４に記載の接続制御装置であって、
前記接続制御手段は、前記使用装置情報を送信してきた前記携帯型通信端末を操作するユーザからの発信要求に応じて、前記使用装置情報に含まれる発信に使用する通信装置を特定する発信装置情報に対応する通信装置を、発信側通信装置として接続制御を行う、
接続制御装置。
【００８１】
（付記１６）
所定の通信装置間の接続制御を行う接続制御装置に、
通信可能な携帯型通信端末にて取得された当該携帯型通信端末の位置情報に対応して予め当該携帯型通信端末に記憶された、位置に応じて使用する通信装置を特定する使用位置情報を、前記携帯型通信端末から受信して、この受信した使用装置情報に対応する通信装置を、当該使用装置情報を送信してきた前記携帯型通信端末を操作するユーザが使用する通信装置として、当該通信装置の接続制御を行う接続制御手段、
を実現させるためのプログラム。
【００８２】
（付記１７）
付記１６に記載のプログラムであって、
前記接続制御手段は、前記使用装置情報を送信してきた前記携帯型通信端末を操作するユーザからの発信要求に応じて、前記使用装置情報に含まれる発信に使用する通信装置を特定する発信装置情報に対応する通信装置を、発信側通信装置として接続制御を行う、
プログラム。
【００８３】
（付記１８）
所定の通信装置間の接続制御を行う接続制御装置と、前記接続制御装置と通信可能な携帯型通信端末と、を備えた通信システムによる通信制御方法であって、
前記携帯型通信端末が、
自端末の位置を表す位置情報を取得し、
予め関連付けられて記憶された、所定の位置を指定する指定位置情報と、位置に応じて使用する通信装置を特定する使用装置情報と、に基づいて、取得した前記位置情報に対応する前記指定位置情報に関連付けられた前記使用装置情報を、前記接続制御装置に対して送信し、
前記接続制御装置が、
前記携帯型通信端末から送信された前記使用装置情報に対応する通信装置を、当該使用装置情報を送信してきた前記携帯型通信端末を操作するユーザが使用する通信装置として、当該通信装置の接続制御を行う、
通信制御方法。
【００８４】
（付記１９）
付記１８に記載の通信制御方法であって、
前記携帯型通信端末が、発信に使用する通信装置を特定する発信装置情報を含む前記使用装置情報を、前記接続制御装置に対して送信し、
前記接続制御装置が、前記使用装置情報を送信してきた前記携帯型通信端末を操作するユーザからの発信要求に応じて、前記使用装置情報に含まれる前記発信装置情報に対応する通信装置を発信側通信装置として接続制御を行う、
通信制御方法。
【００８５】
（付記２０）
所定の通信装置間の接続制御を行う接続制御装置と通信可能な携帯型通信端末による通信制御方法であって、
自端末の位置を表す位置情報を取得し、
予め関連付けられて記憶された、所定の位置を指定する指定位置情報と、位置に応じて使用する通信装置を特定する使用装置情報と、に基づいて、取得した前記位置情報に対応する前記指定位置情報に関連付けられた前記使用装置情報を、前記接続制御装置に対して送信すると共に、前記使用装置情報に対応する通信装置が、自端末を操作するユーザが使用する通信装置として前記接続制御装置にて接続制御されるよう、前記使用装置情報を前記接続制御装置に対して送信する、
通信制御方法。
【００８６】
（付記２１）
付記２０に記載の通信制御方法であって、
発信に使用する通信装置を特定する発信装置情報を含む前記使用装置情報を、自端末を操作するユーザからの発信要求に応じて前記使用装置情報に含まれる前記発信装置情報に対応する通信装置が発信側通信装置として前記接続制御装置にて接続制御されるよう、当該接続制御装置に対して送信する、
通信制御方法。
【００８７】
（付記２２）
所定の通信装置間の接続制御を行う接続制御装置による通信制御方法であって、
通信可能な携帯型通信端末にて取得された当該携帯型通信端末の位置情報に対応して予め当該携帯型通信端末に記憶された、位置に応じて使用する通信装置を特定する使用位置情報を、前記携帯型通信端末から受信して、この受信した使用装置情報に対応する通信装置を、当該使用装置情報を送信してきた前記携帯型通信端末を操作するユーザが使用する通信装置として、当該通信装置の接続制御を行う、
通信制御方法。
【００８８】
（付記２３）
付記２２に記載の通信制御方法であって、
前記使用装置情報を送信してきた前記携帯型通信端末を操作するユーザからの発信要求に応じて、前記使用装置情報に含まれる発信に使用する通信装置を特定する発信装置情報に対応する通信装置を、発信側通信装置として接続制御を行う、
通信制御方法。
【００８９】
なお、上述したプログラムは、記憶装置に記憶されていたり、コンピュータが読み取り可能な記録媒体に記録されている。例えば、記録媒体は、フレキシブルディスク、光ディスク、光磁気ディスク、及び、半導体メモリ等の可搬性を有する媒体である。
【００９０】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【符号の説明】
【００９１】
１０  携帯端末
１１  プロファイル情報入力部
１２  位置情報取得部
１３  プロファイル情報送信部
１４  発信処理部
１５  着信処理部
１６  プロファイル情報記憶部
１６ａ  プロファイル情報
１７  アドレス帳記憶部
１７ａ  アドレス情報
２０  接続制御サーバ
２１  プロファイル情報登録部
２２  接続制御処理部
２３  ユーザ情報記憶部
２３ａ  ユーザ情報
２８  プレゼンスサーバ
３０，４０，５０  通信装置
１００  携帯型通信装置
１０１  使用装置情報記憶手段
１０２  位置情報取得手段
１０３  使用装置情報送信手段
２００  接続制御装置
２０１  接続制御手段
【図１】
2013207486.tif 000003
【図２】
2013207486.tif 000004
【図３】
2013207486.tif 000005
【図４】
2013207486.tif 000006
【図５】
2013207486.tif 000007
【図６】
2013207486.tif 000008
【図７】
2013207486.tif 000009
【図８】
2013207486.tif 000010
【図９】
2013207486.tif 000011
【図１０】
2013207486.tif 000012
【図１１】
2013207486.tif 000013
【図１２】
2013207486.tif 000014
【図１３】
2013207486.tif 000015
【図１４】
2013207486.tif 000016
【図１５】
2013207486.tif 000017
【図１６】
2013207486.tif 000018